【事件の表示】
　特願２０１６−１４７８８９「電子機器」拒絶査定不服審判事件〔平成３０年　２月　１日出願公開、特開２０１８−　１８２８８、請求項の数（２）〕について、次のとおり審決する。
【結　論】
　原査定を取り消す。
　本願の発明は、特許すべきものとする。
【理　由】
第１　手続の経緯
　本願は、平成２８年７月２７日の出願であって、平成２９年１月４日付けで拒絶査定がなされ、これに対して平成２９年４月５日に拒絶査定不服審判の請求がされると同時に手続補正がされ、その後、平成２９年９月１１日付けで当審より拒絶理由が通知され（以下、「当審拒絶理由（１）」という。）、平成２９年１１月７日に手続補正がされるとともに意見書が提出され、平成２９年１２月６日付けで当審より拒絶理由（最後）（以下、「当審拒絶理由（２）」という。）が通知され、平成３０年２月９日に手続補正がされるとともに意見書が提出され、平成３０年２月２８日付けで当審より拒絶理由（以下、「当審拒絶理由（３）」という。）が通知され、平成３０年４月２７日に手続補正がされるとともに意見書が提出されたものである。
第２　原査定の概要
　原査定（平成２９年１月４日付け拒絶査定）の概要は次のとおりである。
理由１　本願請求項１−４に係る発明は、以下の引用文献Ａに記載された発明であるから、特許法第２９条第１項第３号に該当し、特許を受けることができない。
理由２　本願請求項１−４に係る発明は、以下の引用文献Ａに基づいて、その発明の属する技術の分野における通常の知識を有する者（以下、「当業者」という。）が容易に発明をすることができたものであるから、特許法第２９条第２項の規定により特許を受けることができない。
引用文献等一覧
　Ａ．国際公開第２０１６／０９８５１９号公報
第３　当審拒絶理由の概要
１　当審拒絶理由（１）の概要
　本願請求項１−４に係る発明は、引用文献Ｘ−Ｚに基づいて、当業者が容易に発明をすることができたものであるから、特許法第２９条第２項の規定により特許を受けることができない。
引用文献等一覧
　Ｘ．特開２０１０−２７７１９８号公報 
　Ｙ．国際公開第２０１６／０９８５１９号  （拒絶査定時の引用文献Ａ）
　Ｚ．登録実用新案第３２０５４２０号公報 
２　当審拒絶理由（２）の概要
　本願請求項１−４に係る発明は、引用文献Ｘ−Ｚ、Ｐ−Ｒに基づいて、当業者が容易に発明をすることができたものであるから、特許法第２９条第２項の規定により特許を受けることができない。
引用文献等一覧
　Ｘ．特開２０１０−２７７１９８号公報 
　Ｙ．国際公開第２０１６／０９８５１９号  （拒絶査定時の引用文献Ａ）
　Ｚ．登録実用新案第３２０５４２０号公報 
　Ｐ．国際公開第２０１５／００２３００号 
　Ｑ．特表２０１４−５２７６６６号公報 
　Ｒ．特開２０１３−７４５４６号公報 
３　当審拒絶理由（３）の概要
　本願請求項１−４に係る発明は、引用文献１−３に基づいて、当業者が容易に発明をすることができたものであるから、特許法第２９条第２項の規定により特許を受けることができない。
引用文献等一覧
　１．特表２０１０−５１６０２２号公報
　２．特開２０１０−２７７１９８号公報（当審拒絶理由（１）、（２）の引用文献Ｘ）
　３．国際公開第２０１６／０９８５１９号（拒絶査定時の引用文献Ａ、当審拒絶理由（１）、（２）の引用文献Ｙ）
第４　本願発明
　本願請求項１−２に係る発明（以下、それぞれ「本願発明１」−「本願発明２」という。）は、平成３０年４月２７日付けの手続補正で補正された特許請求の範囲の請求項１−２に記載された事項により特定される、以下のとおりの発明である。
　「【請求項１】
　ジェスチャを検出するための近接センサと、
　電子機器のある部屋の明るさを検出するための照度センサからの出力値を取得するコントローラと、
　を備え、
　前記コントローラは、
　　前記照度センサで検出される電子機器のある部屋の明るさが所定値を下回ると判定すると、前記近接センサで検出されるジェスチャに基づく処理を開始する、
　電子機器。
【請求項２】
　ジェスチャを検出するための近接センサと、
　電子機器のある部屋の明るさを検出するための照度センサおよび電子機器の物理的な状態を検出するための加速度センサからの出力値を取得するコントローラと、
　を備え、
　前記コントローラは、
　　前記加速度センサからの出力値に基づいて電子機器が静止状態であり、かつ、前記照度センサで検出される電子機器のある部屋の明るさが所定値を下回ると判定すると、前記近接センサで検出されるジェスチャに基づく処理を開始する、
　電子機器。」
第５　引用文献、引用発明等
１　引用文献１及び引用発明
　当審拒絶理由（３）に引用した引用文献１には、図面とともに、以下の記載がある（下線は、特に着目した箇所を示す。以下同様。）。
（１）　段落【０００８】
「【０００８】
　さらに、本発明のいくつかの実施形態によれば、電子デバイスのディスプレイを動作させる方法は、ディスプレイ明るさレベルのユーザが選択した明るさレベルへの変化を受け取ることと、変化に従って、ディスプレイ明るさレベルの制御に対する環境光センサ出力レベルの
環境光センサ（ＡＬＳ, ambient litht sensor）
（２）　段落【００２５】−【００２６】
「【００２５】
　
ＡＬＳおよび／または近接センサ４４は、
センサ４４は、無線デバイス３０に対する相対的な物体の位置（例えば、Ｘ、Ｙ、Ｚのうちの少なくとも１つ）、動きの方向、速度など、および／またはデバイス３０での環境光環境を検出することができ
【００２６】
　さらに、処理デバイス（図示せず）が、近接センサ（１つまたは複数）４４に結合される。処理デバイスを、ＡＬＳおよび／または近接センサ４４によって供給される環境光、位置、および／または動きデータに基づいて、ポータブル・デバイス３０、ＡＬＳおよび／または近接センサ４４に対する相対的な物体の位置および／または環境光環境を判定するのに使用することができる。ＡＬＳおよび／または近接センサは、環境光および／または物体位置を継続的にまたは周期的に監視することができる。近接センサは、それが検出している物体のタイプを判定できる場合もある。本明細書で説明するＡＬＳは、ＡＬＳおよび／またはディスプレイ・デバイスに入射する環境光および／または環境可視光の強度、明るさ、振幅、またはレベルにおいて検出できる場合がある。図３に、図２に示されたポータブル・デバイス３０に類似する、代替のポータブル・デバイス３０ａを示す。図３に示されたポータブル・デバイス３０ａは、ＡＬＳおよび／または近接センサ４４ａ（図３）がマイクロホン４０またはその近くに配置されるという点で、図２に示されたポータブル・デバイス３０と異なるものとすることができる。」
（３）　段落【００７６】
「【００７６】
　さらに、実施形態によれば、
ＡＬＳ値または強度は、複数のＡＬＳセンサの値または強度を表すことができ
複数のセンサ出力に、それぞれ重み付け係数を乗じ
、一緒に加算して、デバイス全体にあたる全環境光を表
その全環境光を、１が完全な太陽光を表し０が完全な暗黒を表す（例えば、照明された部屋が１と０との間であり、明るく照明された部屋は柔らかくまたは暗く照明された部屋より高い）０から１までの数になるように正規化され
（４）　段落【００７９】−【００８１】
「【００７９】
　いくつかの実施形態によれば、
１つまたは複数のセンサから受け取られるＡＬＳ出力値を、近接センサのオン／オフ・セッティングまたは状況を
いくつかの場合に自動的に
セットし、変更し、または変化させることによって、電子デバイスの近接センサを動作させるのに使用することができ
セッティングまたは変化は、ＡＬＳの出力レベルまたはレベルの変化によるものなど、パワー・アップ、ターン・オン、パワー・ダウン、ターン・オフなどを行うための近接センサのセッティングのセットまたは変更とすることができ
【００８０】
　したがって、
ＡＬＳセンサ出力を、
電子デバイス、プロセッサ、またはソフトウェア・アプリケーションによって受け取ることができ、これらは、ＡＬＳレベルがしきい値を超えることに応答して近接センサのパワー・アップまたはターン・オンを引き起こ
このプロセスが、近接センサによって
消費される電力またはバッテリ・エネルギの使用の節約または削減を可能にする
【００８１】
　また、いくつかの場合に、ＡＬＳセンサ出力を、加速度計出力、「ロック」ボタン（例えば、デバイスのセッティングを保持するため）、および電子デバイスをオンにするための「オン」ボタンなどの他のセンサ出力と組み合わせて使用することができる。近接センサをオンにすることに関して上で説明した概念は、別のセンサ出力に加えてＡＬＳセンサ出力がしきい値を超える場合にのみデバイスをオンにすることによって電力またはバッテリ消費を節約するか減らすためなど、ここでもあてはまる。これが、不注意の「バンプ」、「ロック」ボタン、「オン」ボタン押下げがデバイスをオンにし、ユーザの意図しないときにバッテリ電力を消費することの発生または可能性を下げることを了解されたい。」
　よって、上記各記載事項を関連図面に照らし、下線部に着目すれば、引用文献１には次の発明（以下、「引用発明」という。）が記載されているといえる。
「環境光センサ（ＡＬＳ）および／または近接センサ４４は、無線デバイス３０に対する相対的な物体の位置（例えば、Ｘ、Ｙ、Ｚのうちの少なくとも１つ）、動きの方向、速度など、および／またはデバイス３０での環境光環境を検出することができ、
　ＡＬＳ値または強度は、複数のＡＬＳの値または強度を表すことができ、複数のセンサ出力に、それぞれ重み付け係数を乗じ、一緒に加算して、デバイス全体にあたる全環境光を表し、その全環境光を、１が完全な太陽光を表し０が完全な暗黒を表す（例えば、照明された部屋が１と０との間であり、明るく照明された部屋は柔らかくまたは暗く照明された部屋より高い）０から１までの数になるように正規化され、
　１つまたは複数のセンサから受け取られるＡＬＳのセンサ出力値を、近接センサのオン／オフ・セッティングまたは状況を（いくつかの場合に自動的に）セットし、変更し、または変化させることによって、電子デバイスの近接センサを動作させるのに使用することができ、セッティングまたは変化は、ＡＬＳの出力レベルまたはレベルの変化によるものなど、パワー・アップ、ターン・オン、パワー・ダウン、ターン・オフなどを行うための近接センサのセッティングのセットまたは変更とすることができ、
　ＡＬＳのセンサ出力を、電子デバイス、プロセッサ、またはソフトウェア・アプリケーションによって受け取ることができ、これらは、ＡＬＳレベルがしきい値を超えることに応答して近接センサのパワー・アップまたはターン・オンを引き起こし、このプロセスが、近接センサによって、消費される電力またはバッテリ・エネルギの使用の節約または削減を可能にする、
無線デバイス３０。」
（２）　引用文献２、引用文献３
ア　当審拒絶理由（３）に引用した引用文献２には、図面とともに、段落【００６３】−【００７２】に、以下の記載がある。
「【００６３】
　［４−３．
近接ジェスチャに基づく操作
　以下では、表示パネル１０１上での操作体Ｍによる近接ジェスチャに基づいて、操作体Ｍにより入力される操作を特定する処理について説明する。
　　　・・・（中略）・・・
【００６５】
　例えば、操作体Ｍの静止ジェスチャは、
表示パネル１０１上で手を静止させる動作
表示パネル１０１上で手を水平方向（および／または垂直方向）で反復移動させる動作
表示パネル１０１上で手を水平方向（および／または垂直方向）で移動させる動作
　　　・・・（中略）・・・
【００６７】
　
操作体検出部１０９は、操作体Ｍの近接を検知する
　　　・・・（中略）・・・
【００７２】
　これにより、表示パネル１０１上での操作体Ｍの
近接ジェスチャに基づいて
ユーザは、
操作体Ｍを接触させずに、操作体Ｍにより所望の操作を素早く入力できる
イ　当審拒絶理由（３）に引用した引用文献３には、図面とともに、段落［００２８］に、以下の記載がある。
「［００２８］
本明細書において、
「近接センサ」とは、物体、例えば人体の一部（手や指など）がユーザーの眼前に近接していることを検知するために、近接センサの検出面前方の近接範囲にある検出領域内に存在しているか否かを検出して信号を出力するものをいう
近接センサからの距離が２００ｍｍ以内であれば
手や指を使ったジェスチャーによって容易に操作を行うことができ
ウ　上記引用文献２、引用文献３の各記載から、一般に、近接操作を検出可能なセンサを、ジェスチャを検出するために用いる点は、周知技術であると認められる。
２．対比・判断
（１）　本願発明１について
　本願請求項１に係る発明（以下、「本願発明１」という。）と引用発明とを対比すると、次のことがいえる。
（１）　引用発明の「
無線デバイス３０に対する相対的な物体の位置（例えば、Ｘ、Ｙ、Ｚのうちの少なくとも１つ）、動きの方向、速度など
を検出することができ
ジェスチャを検出するための
（２）　引用発明の「無線デバイス３０」は、本願発明１の「電子機器」に相当する。
　引用発明の「環境光センサ（ＡＬＳ）」は、「
ＡＬＳ値または強度は
デバイス全体にあたる全環境光を表し、
例えば、照明された部屋が１と０との間であり、明るく照明された部屋は柔らかくまたは暗く照明された部屋より高い）０から１までの数になる
　引用発明の「プロセッサ」は、本願発明１の「コントローラ」に相当する。
　よって、引用発明の「プロセッサ」は、「
ＡＬＳのセンサ出力を、
プロセッサ
によって受け取ることができ
（３）　引用発明の「プロセッサ」が、「１つまたは複数のセンサから受け取られる
ＡＬＳのセンサ出力値を
電子デバイスの近接センサを動作させるのに使用することができ
ＡＬＳのセンサ出力を、
プロセッサ
によって受け取ることができ
ＡＬＳレベルがしきい値を超えることに応答して近接センサのパワー・アップまたはターン・オンを引き起こし
消費される電力またはバッテリ・エネルギの使用の節約または削減を可能にする
が所定値を下回ると判定すると
で検出されるジェスチャ
に応じて
サに
　よって、本願発明１と引用発明との一致点・相違点は次のとおりであるといえる。
　
＜一致点＞
「近接センサと、
　電子機器のある部屋の明るさを検出するための照度センサからの出力値を取得するコントローラと、
　を備え、
　前記コントローラは、
　　前記照度センサで検出される電子機器のある部屋の明るさに応じて、前記近接センサに基づく処理を開始する、
　電子機器。」
［相違点１］
　本願発明１の「近接センサ」は、「
ジェスチャを検出するための
で検出されるジェスチャ
［相違点２］
　本願発明１の「コントローラ」は、「前記照度センサで検出される電子機器のある部屋の明るさが
所定値を下回ると
しきい値を超えること
近接センサのパワー・アップまたはターン・オン
所定値を下回ると
３．当審の判断
　事案に鑑みて、上記［相違点２］について先に検討すると、本願発明１の上記［相違点２］に係る、コントローラが、「前記照度センサで検出される電子機器のある部屋の明るさが所定値を下回ると判定すると」、近接センサに基づく処理を開始することは、上記引用文献１−３には記載されておらず、本願出願前において周知技術であるともいえない。
　
　したがって、他の相違点について判断するまでもなく、本願発明１は、当業者であっても引用発明、引用文献２−３に記載された技術的事項に基づいて容易に発明できたものであるとはいえない。
（２）　請求項２について
　本願発明２も、本願発明１の上記［相違点２］に係る、コントローラが、「前記照度センサで検出される電子機器のある部屋の明るさが所定値を下回ると判定すると」、近接センサに基づく処理を開始することと、同一の構成を備えるものであるから、本願発明１と同様の理由により、当業者であっても、引用発明、引用文献２−３に記載された技術的事項に基づいて容易に発明をすることができたものとはいえない。
第６　当審拒絶理由（１）、（２）について
　平成３０年４月２７日付けの補正により、補正後の請求項１−２は、コントローラが、「前記照度センサで検出される電子機器のある部屋の明るさが所定値を下回ると判定すると」、近接センサに基づく処理を開始するという技術的事項を有するものとなった。当該技術的事項は、当審拒絶理由（１）、（２）における引用文献Ｘ−Ｚ、Ｐ−Ｒには記載されておらず、本願出願前における周知技術でもないので、本願発明１−２は、当業者であっても、当審拒絶理由（１）、（２）における引用文献Ｘ−Ｚ、Ｐ−Ｒに基づいて容易に発明をすることができたものではない。したがって、この拒絶の理由は解消した。
第７　原査定についての判断
　平成３０年４月２７日付けの補正により、補正後の請求項１−２は、コントローラが、「前記照度センサで検出される電子機器のある部屋の明るさが所定値を下回ると判定すると」、近接センサに基づく処理を開始するという技術事項を有するものとなった。当該技術的事項は、原査定における引用文献Ａ（引用文献３）には記載されておらず、本願出願前における周知技術でもないので、本願発明１−２は、原査定における引用文献Ａに記載された発明ではなく、また、当業者であっても、原査定における引用文献Ａに基づいて容易に発明をすることができたものではない。したがって、原査定を維持することはできない。
第８　むすび
　以上のとおり、原査定の理由によって、本願を拒絶することはできない。
　他に本願を拒絶すべき理由を発見しない。
　よって、結論のとおり審決する。